(57)【要約】      （修正有）【課題】英字用２６個のキーの１打ないし２打により、かな文字８５種が容易に迅速に入力できる方法の提供。【解決手段】かな行音を表す１４個のかな文字と、小文字音を表わす１個のかな文字と、母音を表わす５個のかな文字と、拗音、促音、撥音、長音を表す６個のかな文字を、合計２６個のキーに各々１個ずつ割り当てる。かな行音用のキーと母音用キーの組み合わせで、か行からわ行までの、かな１文字が出力され、小文字音用キーと母音用キーの組み合わせで、あ行かな１文字が出力され、かな行音用キーと拗音用キーの組み合わせで、拗音付かな２文字が出力され、あ行かな、促音、撥音、長音は所望する文字が表示されたキーの単打で入力される。モバイル機器等の小型キーボードでも、両手を使うか、或いは片方の手の２本の指を使う２個のキーの一度押しが順不同でできるため、簡単で、迅速な、英字キーのタッチタイピング並みの入力速度を容易に達成できる。【選択図】図７
2014155215.tif 000002
【特許請求の範囲】
【請求項１】
ハードキーやディスプレイ画面上のソフトキーに、かな行音を表わす１４種類のかな文字「か、が、さ、ざ、た、だ、な、は、ば、ぱ、ま、や、ら、わ」と、小文字音を表わす１種類のかな文字（例えば、こ）と、母音を表わす５種類のかな文字「あ、い、う、え、お」と、拗音、促音、撥音、長音を表わす６種類のかな文字「ゃ、ゅ、ょ、っ、ん、ー」を表示する事により、２６個のかな発音を表わす表示キーの１打ないし２打を用いて、８５種類のかな文字を入力する事を特徴とする、かな文字の入力方法。
【請求項２】
かな行音用キーを押した後で、母音用キーを押すか、或いは両方のキーを順不同で一度に押す事により、「あ行」ないし「わ行」のかな１文字が出力され、小文字音用キーを押した後で、母音用キーを押すか、或いは両方のキーを順不同で一度に押す事により、あ行かな１小文字が出力され、かな行音用キーを押した後で拗音「ゃ、ゅ、ょ」用のキーを押すか、或いは両方のキーを順不同で一度に押す事により、その間に「母音い」が自動的に挿入され、「母音い」列のかな文字が拗音付きで、かな２文字として出力され、あ行かな文字、拗音、促音、撥音、長音に関しては、所望する文字が表示されたキーを単独で押すと出力される事を特徴とする、請求項１に記載された、かな文字の入力方法。
【請求項３】
わ行かな文字は、「わ、ヰ、ヴ、ヱ、を」と設定して、特殊なカタカナ「ヴ」を、わ行用キーと母音用キー「う」の組み合わせで出力し、特殊小文字「ワ」は、わ行音用キーと、促音「っ」用キーの組み合わせで出力する請求項１ないし請求項２に記載された、かな文字の入力方法。
【請求項４】
シフトキーを押しながら、かな行音キーと母音用キーか、或いは、かな行音用キーと拗音用キーを一度に押すと、促音が自動的に付加され、前に促音が付く２かな文字か、或いは、前に促音・後に拗音が付く３かな文字が一挙に入力できる事を特徴とする、請求項１ないし請求項２に記載された、かな文字の入力方法。
【請求項５】
２６の英字キーにかな行音を表わす１４種類のかな文字「か、が、さ、ざ、た、だ、な、は、ば、ぱ、ま、や、ら、わ」と、小文字音を表わす１種類のかな文字と、母音を表わす５種類のかな文字「あ、い、う、え、お」と、拗音、促音、撥音、長音を表わす６種類のかな文字「ゃ、ゅ、ょ、っ、ん、ー」が表示されていることを特徴とするキーボード。
【発明の詳細な説明】
【技術分野】
【０００１】本発明は、英字キーボードを利用した、かな文字の入力方法及びそれを用いるキーボードに関するものである。
【背景技術】
【０００２】かな文字の入力に際し、かな文字キーを使用した、かな直接入力は単純明快な入力方法であるが、４８個のかなキーやシフトキーを駆使するのは至難の業のため、極く一部の熟練者しか能率的な入力ができていない。
一方、英字キーを使いローマ字変換によって入力する方法は多くの人が手先を見ないタッチタイピングが容易にできるため普及したが、かな１文字を入力するためのキータッチ回数がかな直接入力の２倍近くに増えること、或いはかな文字がキーに表示されていないため高齢者、子供、などには使用しづらいことなどの問題を有している。【０００３】またモバイル用の小さな英字キーボードでは、いろいろな入力方法が提案されている。
例えば特許文献に示した入力方法は、一方の座標軸に数字の０ないし９、♯からなる１１個のキーを配置し、他方の座標軸に数字の０ないし９、♯の１１個を配置し、各座標軸の交点となる１２１箇所の領域に文字、数字、記号を割り当て、一方の座標軸の数字を第１打に、他方の座標軸の数字を第２打として打ち込むことにより、仮名、平仮名、数字、ローマ字、句読点及び記号等が入力できるようにしたものである。このテンキーの１１個のキー２打によるかな入力方式は、ほぼローマ字変換並みの速度に達するが、一つのキーを２回以上クリックする必要がある。
モバイル用の小さな英字キーボードでは、携帯電話器用などの小型のハードキーボードを含めての、かな文字入力の能率的な共通方式としては、特許文献のようなテンキーの２打入力以外には考え難い。
【先行技術文献】
【０００４】
【特許文献】
【特許文献】特許公開公報２００２−１１６８６７
【発明の概要】
【発明が解決しようとする課題】
【０００５】モバイル機器等が普及すると、児童や高齢者もキー入力を利用するようになるため、ローマ字変換ではなく、かな表示キーで入力する方が望ましい。
本発明は標準キーボードでも、タブレット用ソフトキーボードでも、モバイル機器用ソフトキーボードでも、共通方式で使えて、誰にとっても、かな文字が容易に、かつ迅速に入力できる入力方法及びそのためのキーボードを提供する事を目的とする。
【課題を解決するための手段】
【０００６】この目的を達成するため、本発明はハードキーやディスプレイ画面上のソフトキーに、かな行音を表わす１４種類のかな文字「か、が、さ、ざ、た、だ、な、は、ば、ぱ、ま、や、ら、わ」と、小文字音を表わす１種類のかな文字（例えば、こ）と、母音を表わす５種類のかな文字「あ、い、う、え、お」と、拗音、促音、撥音、長音を表わす６種類のかな文字「ゃ、ゅ、ょ、っ、ん、ー」を表示する事により、２６個のかな発音を表わすキーの１打ないし２打を用いて、かな文字８５種類を入力するかな文字入力方法を特徴とする。【０００７】また本発明は、かな行音用キーを押した後で、母音用キーを押すか、或いは両方のキーを順不同で一度に押す事により、「あ行」ないし「わ行」のかな１文字が出力され、小文字音用キーを押した後で、母音用キーを押すか、或いは両方のキーを順不同で一度に押す事により、あ行かな１小文字が出力され、かな行音用キーを押した後で拗音「ゃ、ゅ、ょ」用のキーを押すか、或いは両方のキーを順不同で一度に押す事により、その間に「母音い」が自動的に挿入され、「母音い」列のかな文字が拗音付きで、かな２文字として出力され、あ行かな文字、拗音、促音、撥音、長音に関しては、所望する文字が表示されたキーを単独で押すかな文字入力方法を特徴とする。【０００８】また本発明は、わ行かな文字は、「わ、ヰ、ヴ、ヱ、を」と設定して、特殊なカタカナ「ヴ」を、わ行用キーと母音用キー「う」の組み合わせで出力し、特殊小文字「ワ」は、わ行音用キーと、促音「っ」用キーの組み合わせで出力する入力方法を特徴とする。【０００９】また本発明は、シフトキーを押しながら、かな行音キーと母音用キーか、或いは、かな行音用キーと拗音用キーを一度に押すと、促音が自動的に付加され、前に促音が付く２かな文字か、或いは、前に促音・後に拗音が付く３かな文字が一挙に入力できる事を特徴とする。【００１０】また本発明は、２６の英字キーにかな行音を表わす１４種類のかな文字「か、が、さ、ざ、た、だ、な、は、ば、ぱ、ま、や、ら、わ」と、小文字音を表わす１種類のかな文字と、母音を表わす５種類のかな文字「あ、い、う、え、お」と、拗音、促音、撥音、長音を表わす６種類のかな文字「ゃ、ゅ、ょ、っ、ん、ー」が各キーに１文字ずつ表示されているキーボードを特徴とする。
【図面の簡単な説明】
【００１１】
【図１】本発明の実施例で、情報処理装置における、画面上のソフトキーボードのあかさたな順かなキーのみの配列図である。
【図２】本発明の実施例で、情報処理装置における、標準（ＱＷＥＲＴＹ）配列のハードキーボード上の、あかさたな順かな表示キーの配列図である。
【図３】本発明の実施例で、情報処理装置における、あかさたな順かなキー配列に発音を合わせた英字キーの配列図である。
【図４】本発明の実施例で、情報処理装置における、画面上のソフトキーボードの標準（ＱＷＥＲＴＹ）配列に発音を合わせた、かな文字のみの配列図である。
【図５】本発明の実施例で、情報処理装置における、標準（ＱＷＥＲＴＹ）配列のハードキー上の、英字の発音に合わせた、かな発音の表示キーの配列図である。
【図６】本発明の実施例で、モバイルを縦長で使用する時の、あかさたな順かなキーの３列の配列図である。
【図７】本発明の実施例で、１打目と２打目の打ち方を説明するための図である。
【図８】本発明の実施例で、２個のキーの一度押しの認定方法を説明するためのフローチャートである。
【図９】本発明の図５に示す実施例で、既存の英字キーボードで利用する時に、かなキーを容易に捜すためのヘルプ画面である。
【実施例】
【００１２】以下本発明を図面により、説明する。
図１は本発明の実施例で、あかさたな順かなキーのみの配列図である。
情報処理装置における、タブレット等の画面上のソフトキーボードの情報処理装置に使用できる。
母音を表わす５種のかな文字は「あいうえお」順に、かな行音を表わす９種のかな文字は「かさたなはまやらわ」順に、濁点、半濁点付きかな行音を表わす５種のかな文字は「がざだばぱ」順に上段・中段・下段の３段の別々の段か、或いは図６のように左列・中列・右列の３列の別々の列に分かれて体系的に表示され、かな文字「ゃ」「ゅ」「ょ」「っ」「ん」「ー」「こ」（小文字用こは他の文字でも良い）は「あいうえお」及び「がざだばぱ」の後に２分されて表示される。
英字入力からかな入力に設定変更した時に、英字がかな文字に入れ替わる時の配置図であり、かな文字だけの表示で良いため、モバイルのような小型キーボードでも、目視し易くなる。【００１３】図２は情報処理装置における、標準（ＱＷＥＲＴＹ）配列のハードキーボード上の英字キーに上記あかさたな順かな表示キーを組合わせた配列図である。【００１４】図３は情報処理装置における、あかさたな順かなキー配列に大部分の発音を合わせたため英字キーの標準（ＱＷＥＲＴＹ）配列とは異なる配列図である。【００１５】図４は本発明の実施例で、情報処理装置における画面上のソフトキーボードの標準（ＱＷＥＲＴＹ）配列に発音を合わせた、かな文字のみの配列図である。
母音を表わす５種のかな文字と、かな行音を表わす１４種類のかな文字と、小文字音を表わす１種のかな文字は、ローマ字変換方式と同じキー位置に表示され、かな文字「ゃゅょっんー」はローマ字変換のために不可欠でない６個の英字「ＦＣＶＱＪＬ」のキー位置のいずれかに表示される。
このために、ローマ字変換方式と併用できる事を特徴とする。【００１６】図５は本発明の実施例で、情報処理装置における、標準（ＱＷＥＲＴＹ）配列のハードキー上の英字の発音に合わせた、かな発音の表示キーの配列図である。
母音を表わす５種のかな文字と、かな行音を表わす１４種類のかな文字用キーには、発音が類似の英字が併記される。
かな行名用キーと母音用キーに関しては、ローマ字変換方式と同一キーを使用していて、特殊かな６個のキーの使い方だけが異なるので慣れ易い。
句点その他のキー位置は変更されない。【００１７】図６は本発明の実施例で、モバイルを縦長で使用する時の、あかさたな順かなキーの３列の配列図である。英字はかな発音に合わせたキー位置なので分かり易い。【００１８】図７は、１打目と２打目の打ち方を説明するための図である。基本ルールはローマ字変換と同じ、かな行音と母音の２打入力である。但し、ローマ字変換で一番ルールが難解な拗音付きかな文字入力が、ルールを覚える必要が無くなるだけでなく、かな行音の後に「母音い」が自動的に付加されるため、ローマ字変換の通常３文字からの変換が、一律２文字からの変換になり、タッチ数も減る。その上、２個のキーを一度に押すと、実質的なタッチ数は半減して、かな直接入力よりも濁点・半濁点が不要な分だけ更に少ないタッチ数になる。
シフトキーを押しながら２個のキーを一度に押すと、促音が自動付加されて一挙に２かな文字、拗音付は３かな文字を入力できる新機能も能率的である。【００１９】図８は、２個のキーの一度押しの設定方法を説明するためのフローチャートである。２個のキーの一度押しを設定するために、単打の時は、キーを押した時点でなく、キーを離した時点で文字が出力され、同時打鍵では１個のキーが離れる前に新たなキーが押された時点で所定の文字が出力される仕組みに変更されている。【００２０】図２と図３と図５と図６のキーボード上における、あかさたな順かな文字の配列は、目視し易いように母音用キーと特殊音用キーを、かな行音キーと区別するために色分けしておくか、外枠の図形を変えても良い。【００２１】各キーから出力される文字を変更するための、キー配列変更だけなら、Ｔｒａｖｉｓ  Ｋｒｕｍｓｉｃｋ氏が提供元の「Ｋｅｙ  Ｔｗｅａｋ」、Ｂｌｅｎｍｕｓｉｋ氏が提供元の「Ｄｖｏｒａｋ」、Ｓａｔｏｓｈｉ氏が提供元の「Ｃｈａｎｇｅ  Ｋｅｙ」、愛とゆり氏が提供元の「Ｋｅｙ  Ｓｗａｐ  ｆｏｒ  ＸＰ」等の無料配布ソフトを利用すれば、誰でも簡単にできる。但し、２キー同時打鍵の機能は含まれていない。
図８のかな変換を行うには、パーソナルコンピュータのＯＳがキーボードをコントロールするための部分「キーボードドライバー」の中のテーブルとプログラムを書き換えれば両方共できるが、その内容を熟知した特定のソフト技術者以外には書き換えは困難である。
この実施例は、日本語入力のために使用される市販のローマ字入力タイプのＩＭＥ（日本語入力ソフト）に内蔵される英字（ローマ字とも呼ばれる）の逐次組み合わせと日本字との組み合わせテーブルを書き換えることにより、２キー同時打鍵のプログラムを完成することをその特徴としている。たとえばＡＴＯＫ（ジャストシステム社のＩＭＥ）やマイクロソフト社のＩＭＥは、英字の逐次組み合わせと日本字との関係を示すテーブルを書き換え可能に有している。この書き換えを通じて、日本語のかな文字入力における２キー同時打鍵動作を判別するソフトを組み込む必要が無く、既存のパーソナルコンピュータと同等の日本語のかな文字入力法を容易に導入することができる。【００２２】図９のような入力ヘルプ画面をディスプレイ画面上に表示すると、標準（ＱＷＥＲＴＹ）配列のハードキーボードを使用する場合でも、既存のキー表示を変更しなくても利用できる。横列は最上段の数字列のどの数字の下に位置するかで決まる。縦列は上段・中段・下段のいずれかに属するため、数字と上・中・下の組合せで所定の文字のキー位置が分かり捜しやすい。各キーにかな文字表示用のシールを貼らなくても済むため便利である。
【発明の効果】
【００２３】かな文字が表示されたハードキーボード、或いは仮想キーボード（ソフトキーボード）によって打つ事ができるため、キー位置や打ち方のルールを覚える必要がない。すなわち、本発明の入力方法は、ローマ字変換が不得手な高齢者、子供、或いは初心者に最適である。
【００２４】通常の大きさのキーボードの場合は、両手、或いは片方の手の任意の２本の指で２個のキーの一度押しが容易にできるし、小さなキーボードでは両手の両親指か片方の手の２本の指で一度押しができる。２本の指が重ならない限り、小さい方が指の移動が少ないため、より速く入力できる。手先を見ないパソコンのタッチタイピング並みに迅速である。
【００２５】例えば、「特許庁」の文字をローマ字変換すると「ＴＯＫＫＹＯＣＨＯＵ」の１０タッチ、かな直接入力では「とっきょちょう」の７タッチとシフトキーの３タッチが必要なため、ほぼ話す速度の２秒間で入力する事は至難の業である。但し、当入力方式で順不同の一度押しすると、「と、っ、きょ、ちょ、う」の実質５タッチで済むため、自由な指使いをしても、大半の人が容易に２秒間でほぼ話すような速度で入力できる。その上、シフトキーを押しながら、「か」と「ょ」が表示されたキーを一度に押すと、一挙に「っきょ」の３文字を入力できるので、実質４タッチで済む。
「特許庁」で２秒を切るのは従来の入力方式と異なり簡単である。
【００２６】スマートフォンのような小型キーボードでも、両手の両親指か或いは片方の手の２本の指で一度押しをすれば、ほぼ話す速度に容易に到達できる。キーを離す度に、入力された文字を発音する機能を追加すれば、日本語の発声の代用として利用する事ができる。その上、外国語の発声への自動変換は音声入力よりも正確になる。
【図１】
2014155215.tif 000003
【図２】
2014155215.tif 000004
【図３】
2014155215.tif 000005
【図４】
2014155215.tif 000006
【図５】
2014155215.tif 000007
【図６】
2014155215.tif 000008
【図７】
2014155215.tif 000009
【図８】
2014155215.tif 000010
【図９】
2014155215.tif 000011